(57)【特許請求の範囲】
【請求項１】
剥離性シートからなる台紙、粘着剤層と貼付体層からなる貼付材と、キャリアシートがこの順に積層された貼付体シートであり、貼付体層のキャリアシート側の表面粗さが、貼付体層の厚さより小さく且つ十点平均粗さRzjis（JIS B0601:2001）が４〜４０μｍの範囲で、キャリアシートの厚みが２５〜１００μｍであって、
（ａ) 粘着剤層と貼付体層とは同じ平面形状であり、粘着剤層が台紙に隣接しており、
（ｂ）台紙ならびにキャリアシートは、それぞれ貼付材面が露出しないように、貼付材を覆うのに必要最小限なまたは十分な面積ならびに平面形状を有し、
（ｃ）貼付体シートは、把持部と本体部とを有し、
（ｄ）貼付体シートは、台紙のみを厚さ方向に貫通する切込みを有し、
（ｅ）把持部と本体部は、前記台紙のみを厚さ方向に貫通する切込みの切込みラインを全層に投影したと仮定した場合に、当該投影ラインが把持部と本体部の境界であり、
（ｆ）更に、前記貼付体シートは、（ｆ１）貼付材とキャリアシートを厚さ方向に貫通する切込み又は（ｆ２）貼付材のみを厚さ方向に貫通する切込みが設けられ、
且つ、貼付体シート平面上から見て、（ｆ１）貼付材とキャリアシートを厚さ方向に貫通する切込みのライン又は（ｆ２）貼付材のみを厚さ方向に貫通する切込みのラインが台紙のみを厚さ方向に貫通する切込みのラインより前記把持部の先端側方向に位置する部分を含んでいる
ことを特徴とする貼付体シート。
【請求項２】
貼付体層の厚みが５〜６０μmであり、粘着剤層と貼付体層からなる貼付材の厚みが、合計厚みで２５〜１００μｍである請求項１に記載の貼付体シート。
【請求項３】
貼付体層が、エラストマーフィルムからなる請求項１〜２のいずれかに記載の貼付体シート。
【請求項４】
貼付体層が、ポリウレタンエラストマーフィルムからなる請求項１〜３のいずれかに記載の貼付体シート。
【請求項５】
キャリアシートがポリエステルフィルム、ポリオレフィンフィルムまたはポリラミネート紙であり、剥離性シートからなる台紙が、剥離処理されたポリエステルフィルム、ポリオレフィンフィルムまたはポリラミネート紙である請求項１〜４のいずれかに記載の貼付体シート。
【請求項６】
粘着剤層を形成する粘着剤がアクリル系粘着剤である請求項１〜５のいずれかに記載の貼付体シート。
【請求項７】
粘着剤層を形成する粘着剤がゲル粘着剤である請求項１〜６のいずれかに記載の貼付体シート。
【請求項８】
キャリアシートと貼付材間の粘着力が0.005Ｎ/20ｍｍ以上であり、被貼付面との粘着力の80％以内である請求項１〜７のいずれかに記載の貼付体シート。
【請求項９】
キャリアシートと貼付材の貼付体層との間の端部の一部が非接着性にされており、前記非接着性にされている部分は本体部側に位置するキャリアシートと貼付材の貼付体層との間である請求項１〜８のいずれかに記載の貼付体シート。
【請求項１０】
キャリアシートが、キャリアシートの本体部側に位置する部分に、貼付材の平面形状の外周よりはみ出る摘み部を有しているキャリアシートである請求項１〜9のいずれかに記載の貼付体シート。
【請求項１１】
貼付体シート平面上から見て、貼付材とキャリアシートを厚さ方向に貫通する切込みのライン、貼付材のみを厚さ方向に貫通する切込みのライン又は台紙のみを厚さ方向に貫通する切込みのラインの、少なくともいずれか一つが、凸、又は凹、又は凹凸の折れ線状ライン；又は凸、又は凹、又は凹凸の曲線状ライン；又は前記折れ線状と曲線状の混在ライン；又は直線状ライン；のいずれかのラインである請求項１〜１０のいずれかに記載の貼付体シート。
【請求項１２】
貼付材とキャリアシートを厚さ方向に貫通する切込み、貼付材のみを厚さ方向に貫通する切込みが存在せず台紙のみを厚さ方向に貫通する切込みが設けられている貼付体シートであって、従って、貼付体シート平面上から見て、貼付材とキャリアシートを厚さ方向に貫通する切込みのライン、貼付材のみを厚さ方向に貫通する切込みのラインが台紙のみを厚さ方向に貫通する切込みのラインより前記把持部の先端側方向に位置する部分を含んでいるという関係もないが、貼付体シート平面上から見て、台紙のみを厚さ方向に貫通する切込みのラインが、凸、又は凹、又は凹凸の折れ線状ライン；又は凸、又は凹、又は凹凸の曲線状ライン；又は前記折れ線状と曲線状の混在ライン；のいずれかのラインである請求項１〜１０のいずれかに記載の貼付体シート。
【発明の詳細な説明】
【技術分野】
【０００１】
本発明は、粘着剤層と貼付体層からなる貼付材を含む貼付体シートに関する。具体的には、剥離性シートからなる台紙、粘着剤層と貼付体層からなる貼付材と、キャリアシートがこの順に積層された貼付体シートで薄い貼付体層を有する貼付材を、粘着剤層が指に接触することを少なくし、しわなどの発生がなく、皮膚等の被貼付面に容易に貼付することができる貼付体シートに関する。
【背景技術】
【０００２】
従来より、貼付体シートは、剥離性シートからなる台紙、粘着剤層と貼付体層からなる貼付材と、キャリアシートがこの順に積層された貼付体シートが一般的で、下記特許文献１などで提案されており、当該市販品も市場に出てきている。
【０００３】
下記特許文献１には、使用方法として、まず、台紙３（上記で言う剥離性シートからなる台紙に相当）から、キャリア材２（上記で言うキャリアシートに相当）と共に隠蔽シール１（上記で言う粘着剤層と貼付体層からなる貼付材に相当）が剥がされる。次に台紙３から剥がされた隠蔽シール１（上記で言う粘着剤層と貼付体層からなる貼付材に相当）が粘着剤５の面から肌の必要な部位に貼られる。次にキャリア材２が剥がされ、これにより、隠蔽シール１（上記で言う粘着剤層と貼付体層からなる貼付材に相当）が肌の表面に残り、貼付材を容易に肌に貼ることができることが示されている。
【０００４】
しかし、まず、台紙３を剥がす時に、台紙３と粘着剤５との剥離に要する力（以下、剥離に要する力を「粘着力」という用語で代用する）が、キャリア材２と隠蔽シール１との間の粘着力より大きいと、台紙３と粘着剤５との間がはがれずに、粘着力の弱いキャリア材２がはがれてしまい、隠蔽シール１が露出してしまって、粘着剤５の層が現れなくなることになる、この状態では、薄い隠蔽シール１を指でつまみながら台紙３から剥がさなければならず、薄い隠蔽シール１にしわなどが発生し、きれいに皮膚等の被貼付面に貼ることができなくなる。そこで、キャリア材２と隠蔽シール１との間の粘着力を大きくすると、今度は台紙３のみ剥がして粘着剤５の層を露出させ、皮膚等の被貼付面に貼ることはできるが、皮膚等の被貼付面に貼ってから、キャリア材２を隠蔽シール１から剥がそうとすると、皮膚等の被貼付面への粘着力よりも、キャリア材２と隠蔽シール１との間の粘着力が大きいと、キャリア材２が隠蔽シール１から剥がれずに、皮膚等の被貼付面にせっかく貼付したキャリア材２と隠蔽シール１がすべて剥がれ皮膚等の被貼付面に隠蔽シール１（上記で言う粘着剤層と貼付体層からなる貼付材に相当）が貼付できないことがしばしば生じる。
【先行技術文献】
【特許文献】
【０００５】
【特許文献１】特開２１０３−２５２４００５号公報
【発明の概要】
【発明が解決しようとする課題】
【０００６】
本発明は、剥離性シートからなる台紙、粘着剤層と貼付体層からなる貼付材と、キャリアシートがこの順に積層された貼付体シートにおいて、上記、従来例を具現化した商品において、しばしば見られる皮膚等の被貼付面に貼ってから、キャリアシートを貼付材からはがす際に、皮膚等の被貼付面から全部の層がはがれてしまわないように、すなわちキャリアシートから貼付材が容易にはがれるほどに、キャリアシートと貼付材の貼付体層との粘着力が仮に若干弱い場合でも、例えば、化粧などをしても化粧品などがその表面によく付着するように、貼付材の貼付体層のキャリアシート側の表面粗さを粗くしたことにより、貼付材の貼付体層とキャリアシートとの接触面積が少なくなるので、キャリアシートと貼付材の貼付体層との粘着力が低下する傾向になるが、このようにキャリアシートと貼付材の貼付体層との粘着力が仮に若干弱くなっていた場合でも、剥離性シートからなる台紙を貼付材から剥がす場合に、キャリアシートが貼付材の貼付体層からはがれることを防止できる操作が可能な構造を有し、被貼付物に貼付する際、目的とする順番で層を剥がすことができ、しわの発生がなく、あまり粘着剤面や貼付体層を指で触れて汚さずに被貼付物に貼付材を貼付可能な貼付体シートを提供することを目的とする。
【課題を解決するための手段】
【０００７】
前記課題を解決するため、
（１）本発明の貼付体シートは、剥離性シートからなる台紙、粘着剤層と貼付体層からなる貼付材と、キャリアシートがこの順に積層された貼付体シートであり、
（ａ) 粘着剤層と貼付体層とは同じ平面形状であり、粘着剤層が台紙に隣接しており、
（ｂ）台紙ならびにはキャリアシートは、それぞれ貼付材面が露出しないように、貼付材を覆うのに必要最小限なまたは十分な面積ならびに平面形状を有し、
（ｃ）貼付体シートは、把持部と本体部とを有し、
（ｄ）貼付体シートは、台紙のみを厚さ方向に貫通する切込みを有し、
（ｅ）把持部と本体部は、前記台紙のみを厚さ方向に貫通する切込みの切込みラインを全層に投影したと仮定した場合に、当該投影ラインが把持部と本体部の境界であり、
（ｆ）更に、前記貼付体シートは、（ｆ１）貼付材とキャリアシートを厚さ方向に貫通する切込み又は（ｆ２）貼付材のみを厚さ方向に貫通する切込みが設けられ、
且つ、貼付体シート平面上から見て、（ｆ１）貼付材とキャリアシートを厚さ方向に貫通する切込みのライン又は（ｆ２）貼付材のみを厚さ方向に貫通する切込みのラインが台紙のみを厚さ方向に貫通する切込みのラインより前記把持部の先端側方向に位置する部分を含んでいる
ことを特徴とする貼付体シートである。
【０００８】
（２）前記（１）項に記載の貼付体シートにおいては、貼付体層のキャリアシート側の表面粗さが、貼付体層の厚さより小さく且つ十点平均粗さRzjis（JIS B0601:2001）が4〜40μｍの範囲であることが好ましい。
【０００９】
（３）前記（１）〜（２）項のいずれかに記載の貼付体シートにおいては、貼付体層の厚みが５〜６０μmであり、粘着剤層と貼付体層からなる貼付材の厚みが、合計厚みで２５〜１００μｍであることが好ましい。
【００１０】
（４）前記（１）〜（３）項のいずれかに記載の貼付体シートにおいては、貼付体層が、エラストマーフィルムからなることが好ましい。
【００１１】
（５）前記（１）〜（３）項のいずれかに記載の貼付体シートにおいては、貼付体層が、ポリウレタンエラストマーフィルムからなることが好ましい。
【００１２】
（６）前記（１）〜（５）項のいずれかに記載の貼付体シートにおいては、キャリアシートがポリエステルフィルム、ポリオレフィンフィルムまたはポリラミネート紙であり、剥離性シートからなる台紙が、剥離処理されたポリエステルフィルム、ポリオレフィンフィルムまたはポリラミネート紙であることが好ましい。
【００１３】
（７）前記（１）〜（６）項のいずれかに記載の貼付体シートにおいては、粘着剤層を形成する粘着剤がアクリル系粘着剤であることが好ましい。
【００１４】
（８）前記（１）〜（７）項のいずれかに記載の貼付体シートにおいては、粘着剤層を形成する粘着剤がゲル粘着剤であることが好ましい。
【００１５】
（９）前記（１）〜（８）項のいずれかに記載の貼付体シートにおいては、キャリアシートと貼付材間の粘着力が0.005Ｎ/20ｍｍ以上であり、被貼付面との粘着力の80％以内であることが好ましい。
【００１６】
（１０）前記（１）〜（９）項のいずれかに記載の貼付体シートにおいては、キャリアシートと貼付材の貼付体層との間の端部の一部が非接着性にされており、前記非接着性にされている部分は本体部側に位置するキャリアシートと貼付材の貼付体層との間である態様とすることが好ましい。
【００１７】
（１１）前記（１）〜（１０）項のいずれかに記載の貼付体シートにおいては、キャリアシートが、キャリアシートの本体部側に位置する部分に、貼付材の平面形状の外周よりはみ出る摘み部を有しているキャリアシートであることが好ましい。
【００１８】
（１２）前記（１）〜（１１）項のいずれかに記載の貼付体シートにおいては、貼付体シート平面上から見て、貼付材とキャリアシートを厚さ方向に貫通する切込みのライン、貼付材のみを厚さ方向に貫通する切込みのライン又は台紙のみを厚さ方向に貫通する切込みのラインの、少なくともいずれか一つが、凸、又は凹、又は凹凸の折れ線状ライン；又は凸、又は凹、又は凹凸の曲線状ライン；又は前記折れ線状と曲線状の混在ライン；又は直線状ライン；のいずれかのラインであることが好ましい。
【００１９】
（１３）本発明の別の態様の貼付体シートであって、前記（１）〜（１１）項のいずれかに記載の貼付体シートの構成において、貼付材とキャリアシートを厚さ方向に貫通する切込み、貼付材のみを厚さ方向に貫通する切込みが存在せず台紙のみを厚さ方向に貫通する切込みが設けられている貼付体シートであって、従って、貼付体シート平面上から見て、貼付材とキャリアシートを厚さ方向に貫通する切込みのライン、貼付材のみを厚さ方向に貫通する切込みのラインが台紙のみを厚さ方向に貫通する切込みのラインより前記把持部の先端側方向に位置する部分を含んでいるという関係もない貼付体シート。
【００２０】
（１４）前記（１３）項に記載の貼付体シートにおいては、貼付体シート平面上から見て、台紙のみを厚さ方向に貫通する切込みのラインが、凸、又は凹、又は凹凸の折れ線状ライン；又は凸、又は凹、又は凹凸の曲線状ライン；又は前記折れ線状と曲線状の混在ライン；又は直線状ライン；のいずれかのラインであることが好ましい。
【発明の効果】
【００２１】
（１）貼付体シートを使用する際には、台紙以外の部分を一緒にまず台紙から剥がす必要がある。そして、キャリアシートが積層されている貼付材の粘着剤層側を皮膚等の被貼付面に貼ってから、キャリアシートを貼付材からはがすので、キャリアシートと貼付材との粘着力が貼付材の粘着剤層と被貼付面との粘着力より小さくないとキャリアシートのみ剥がすことができない、そこで仮にキャリアシートから貼付材が容易にはがれるほどに、キャリアシートと貼付材の貼付体層との粘着力が仮に若干弱い場合でも、例えば、化粧などをしても化粧品などがその表面によく付着するように、貼付材の貼付体層のキャリアシート側の表面粗さを粗くしたことにより、貼付材の貼付体層とキャリアシートとの接触面積が少なくなることなどにより、キャリアシートと貼付材の貼付体層との粘着力が低下する傾向になるが、このような場合上記の最初の手順、すなわち台紙を貼付材の粘着層から剥がす場合に、貼付材は粘着剤層とかなり厚みの薄い貼付体層からなるのでその部分を把持して剥がすことは困難であるのでキャリアシートを把持してキャリアシートと貼付材をまとめて台紙から剥がすことになるが、キャリアシートと貼付材との粘着力が弱いと、台紙から剥がれずにキャリアシートのみが貼付材の貼付体層からはがれることになる。しかし前記（１）〜（１４）項に記載の本発明によれば、キャリアシートから貼付材が容易にはがれるほどに、キャリアシートと貼付材の貼付体層との粘着力が仮に若干弱い場合でも、台紙を貼付材から剥がす場合に、キャリアシートが貼付材の貼付体層からはがれることを防止できる操作が可能な構造を有し、被貼付物に貼付する際、目的とする順番で必要な層を剥がすことができ（まず台紙を貼付材から剥がし、被貼付物に貼付した後、キャリアシートを剥がす）、しわの発生がなく、あまり粘着剤面や貼付体層を指で触れて汚さずに被貼付物に貼付可能な貼付体シートを提供できる。そして、特に、前記（１）〜（１２）項に記載の本発明によれば、粘着剤層に指が触れることをより一層少なくでき好ましい。
【００２２】
（２）前記（２）項に記載の貼付体シートにおいては、貼付体層のキャリアシート側の表面粗さが、貼付体層の厚さより小さく且つ十点平均粗さRzjis（JIS B0601:2001）が４〜40μｍの範囲である好ましい態様とすることにより、肌などの被貼付物に貼付された場合に、マスキング効果が高まりその部分のみ目立つことがなく、また、仮に化粧をした場合に化粧品の貼付体層面へののりもよく好ましい。
【００２３】
（３）また、前記（３）項に記載の貼付体シートにおいては、貼付体層の厚みが５〜６０μmであり、粘着剤層と貼付体層からなる貼付材の厚みが、合計厚みで２５〜１００μｍである好ましい態様とすることにより、肌などの被貼付物に貼付された場合に、肌などの被貼付物の微細な凹凸に沿って密着でき、貼付部分が目立つことがなく、好ましい。
【００２４】
（４）前記（４）項に記載の貼付体シートにおいては、貼付体層が、エラストマーフィルムからなる好ましい態様とすることにより、肌などの伸縮性のある被貼付物に貼付された場合に、その伸縮に追従することができ、また、肌のしわ伸ばしなどにも適用でき好ましい。
【００２５】
（５）前記（５）項に記載の貼付体シートにおいては、貼付体層が、ポリウレタンエラストマーフィルムからなる好ましい態様とすることにより、薄く製膜する場合の製膜性に優れ、伸縮性も優れており、肌などの伸縮性のある被貼付物に貼付された場合に、その伸縮に追従することができ、肌などの被貼付物の微細な凹凸に沿って密着でき、また、肌のしわ伸ばしなどにも適用できより一層好ましい。
【００２６】
（６）前記（６）項に記載の貼付体シートにおいては、キャリアシートがポリエステルフィルム、ポリオレフィンフィルムまたはポリラミネート紙であり、剥離性シートからなる台紙が、剥離処理されたポリエステルフィルム、ポリオレフィンフィルムまたはポリラミネート紙である好ましい態様とすることにより、これらのキャリアシートや台紙は、比較的剛性があるので、台紙から貼付材とキャリアシートの積層体を剥がしたり、貼付材からキャリアシートを剥がす際に剥離作業が容易になり好ましい。また、一連の貼付作業において、貼付材にしわが発生することを防止でき好ましい。
【００２７】
（７）前記（７）項に記載の貼付体シートにおいては、粘着剤層を形成する粘着剤がアクリル系粘着剤である好ましい態様とすることにより、被貼付物として、皮膚面に貼付する場合でも、皮膚刺激性が比較的少なく、皮膚にしっかり付着するので好ましい。
【００２８】
（８）前記（８）項に記載の貼付体シートにおいては、粘着剤層を形成する粘着剤がゲル粘着剤である好ましい態様とすることにより、被貼付物として、皮膚面に貼付した場合、凹凸への適合性に優れるため、被貼付物との相和性も高く粘着性が良好であり、また応力の緩和による、物理ストレスを軽減できる。皮膚面の剥離時には、角質層を損傷しにくいため、皮膚刺激がほとんどないといった点が好ましい。
【００２９】
（９）前記（９）項に記載の貼付体シートにおいては、キャリアシートと貼付材間の粘着力が0.005Ｎ/20ｍｍ以上であり、被貼付面との粘着力の80％以内である好ましい態様とすることにより、台紙を剥がして被貼付面に貼ってから、キャリアシートを貼付材からはがす際に、被貼付面から貼付材とキャリアシート全部の層がはがれてしまうことを防止でき、キャリアシートのみをより確実にはがすことができ、好ましい。
尚、粘着力は、JIS Z 0237に準じて、引張速度300mm/minで測定した。具体的には、小型卓上引張試験機により、ベークライト板に貼りつけた20mm幅の貼付体シートの180度剥離力を測定した。
【００３０】
（１０）前記（１０）項に記載の貼付体シートにおいては、キャリアシートと貼付材の貼付体層との間の端部の一部が非接着性にされており、前記非接着性にされている部分は本体部側に位置するキャリアシートと貼付材の貼付体層との間である構成とすることにより、キャリアシートを剥がす際に、容易に剥がすことができ好ましい。
【００３１】
（１１）前記（１１）項に記載の貼付体シートにおいては、キャリアシートが、キャリアシートの本体部側に位置する部分に、貼付材の平面形状の外周よりはみ出る摘み部を有しているキャリアシートである好ましい態様とすることにより、キャリアシートを剥がす際に、摘み部をつかんで、容易に剥がすことができ好ましい。
【００３２】
（１２）前記（１２）項に記載の貼付体シートにおいては、貼付体シート平面上から見て、貼付材とキャリアシートを厚さ方向に貫通する切込みのライン、貼付材のみを厚さ方向に貫通する切込みのライン又は台紙のみを厚さ方向に貫通する切込みのラインの、少なくともいずれか一つが、凸、又は凹、又は凹凸の折れ線状ライン；又は凸、又は凹、又は凹凸の曲線状ライン；又は前記折れ線状と曲線状の混在ライン；のいずれかのラインである好ましい態様とすることにより、台紙から貼付材とキャリアシートの積層体を剥がしたり、貼付材からキャリアシートを剥がす際に切込みのライン近傍で少し折り曲げただけで、いずれか切込みのラインの凸になる部分がはがれて出っ張ってくるので、そこから剥離作業が容易になり好ましい。前記の切込みのラインの凸とか凹は、把持部の先端側方向に向かって凸とか凹の切込みライン形状を意味しているが、把持部の先端側方向に向かって凸の切込みライン形状の場合、切込みのライン近傍で厚さ方向に少し折り曲げると、当該凸形状に切り込まれた部分がはがれて出っ張ってくる。逆に把持部の先端側方向に向かって凹の切り込みの場合、凹の切り込みを境にして、その把持部の先端側方向と反対方向の部分は凸の縁になっているので、切込みのライン近傍で厚さ方向に少し折り曲げると、当該凸の縁になっている方の部分がはがれて出っ張ってくるので、台紙から貼付材とキャリアシートの積層体を剥がしたり、場合によっては、貼付材からキャリアシートを当該凸の縁になっている方の部分から剥がす際に、当該はがれて出っ張ってきた部分から剥がれやすくなっているので、容易に剥がすことが可能になり好ましい。尚、これらの切込みラインの少なくとも一つが直線状のラインである場合は、直線状以外の上述した切込みラインと同じ部位に設けた場合、直線状以外の上述した切込みラインに比べて直線状の切込みラインの場合は切込みラインが短くなるので、切込みのライン近傍で少し折り曲げた場合に隣接する層から剥離する場合の剥離力が小さくて済む。
【００３３】
（１３）前記（１３）項に記載の貼付体シートにおいては、前記（１）〜（１１）項のいずれかに記載の貼付体シートの構成において、貼付材とキャリアシートを厚さ方向に貫通する切込み、貼付材のみを厚さ方向に貫通する切込みが存在せず台紙のみを厚さ方向に貫通する切込みが設けられている貼付体シートである。台紙のみを厚さ方向に貫通する切込みが設けられている貼付体シートであるので、前記（１）〜（１１）項のいずれかに記載の貼付体シートのように、貼付体シート平面上から見て、貼付材とキャリアシートを厚さ方向に貫通する切込みのライン、貼付材のみを厚さ方向に貫通する切込みのラインが台紙のみを厚さ方向に貫通する切込みのラインより前記把持部の先端側方向に位置する部分を含んでいるという関係もないことになる。かかる貼付体シートは、設けられる切込みラインが台紙のみを厚さ方向に貫通する切込みのみであるので、構造が前記（１）〜（１１）項のいずれかに記載の貼付体シートよりシンプルであるので、切込みのラインより台紙本体部側の貼付材とキャリアシート積層体を台紙から剥がして、被貼付体に貼り付ける際、把持部側に残った台紙を剥がすのに、切込みのライン近傍で若干厚み方向に折り曲げて、残った台紙の剥がれてきた縁に指を引っ掛けて残った台紙を剥がす際に、なるべく粘着剤層に指が触れないように注意する点を除いて、前記（１）〜（１１）項のいずれかに記載の貼付体シートよりコストを下げることができ、しかもほぼ同様の効果を発揮できる。すなわち前記（１）〜（１１）項のいずれかに記載の貼付体シート構成（但し、切込みのラインが台紙のみを厚さ方向に貫通する切込みのラインのみ）毎に、それに対応した同様の効果を有する貼付体シートが提供できる。
【００３４】
（１４）前記（１４）項に記載の貼付体シートにおいては、貼付体シート平面上から見て、台紙のみを厚さ方向に貫通する切込みのラインが、凸、又は凹、又は凹凸の折れ線状ライン；又は凸、又は凹、又は凹凸の曲線状ライン；又は前記折れ線状と曲線状の混在ラインのいずれかのラインである好ましい態様とすることにより、前記発明の効果の（１２）項に記載と同様に、切込みラインより台紙本体側にある貼付材とキャリアシートの積層体を台紙から剥がしたり、次に、切込みラインより把持部側に残った台紙を、貼付材から剥がす際に、当該はがれて出っ張ってきた部分から剥がれやすくなっているので、きわめて容易に剥がすことが可能になり好ましい。尚、この切込みラインが直線状のラインである場合は、直線状以外の上述した切込みラインと同じ部位に設けた場合、直線状以外の上述した切込みラインに比べて直線状の切込みラインの場合は切込みラインが短くなるので、切込みのライン近傍で少し折り曲げた場合に隣接する層から剥離する場合の剥離力が小さくて済む。
【図面の簡単な説明】
【００３５】
【図１】本発明の貼付体シートの一実施形態例のキャリアシート側から見た平面図。
【図２】図１のＡ−Ａ´ラインでの切断面の端面図。
【図３】図１の貼付体シートの各層を構成している層の形状を個別に示した平面図。
【図４】図１のＡ−Ａ´ラインでの切断面の端面図に相当する別の一実施形態例の本発明の貼付体シートの断面の端面図。
【図５】貼付材４とキャリアシート５を厚さ方向に貫通する切込み８と台紙１のみを厚さ方向に貫通する切込み７の平面形状を説明するための平面図。
【図６】本発明の貼付体シートの更に別の一実施形態例のキャリアシート側から見た平面図。
【図７】図６のＡ−Ａ´ラインでの切断面の端面図。
【図８】図１〜３で示した貼付体シートの使用方法を説明するための断面の端面図。
【図９】図６〜７で示した貼付体シートの使用方法を説明するための断面の端面図。
【図１０】図1のＡ−Ａ´ラインでの切断面に相当する断面で示した更に別の本発明の一実施形態例の貼付体シートの断面の端面図とその使用方法を示す図。
【図１１】図1のＡ−Ａ´ラインでの切断面に相当する断面で示した更に別の本発明の一実施形態例の貼付体シートの断面の端面図。
【図１２】図1のＡ−Ａ´ラインでの切断面に相当する断面で示した更に別の本発明の一本実施形態例の貼付体シートの断面の端面図。
【図１３】図1のＡ−Ａ´ラインでの切断面に相当する断面で示した更に別の本発明の一実施形態例の貼付体シートの断面の端面図。
【図１４】図1のＡ−Ａ´ラインでの切断面に相当する断面で示した更に別の本発明の一実施形態例の貼付体シートの断面の端面図。
【図１５】図1のＡ−Ａ´ラインでの切断面に相当する断面で示した更に別の本発明の一実施形態例の貼付体シートの断面の端面図。
【発明を実施するための形態】
【００３６】
理解を容易にするため、先に本発明の貼付体シートの実施の形態例を図面を引用しながら説明し、本発明の貼付体シートの各層を構成する材料や条件などの一般説明は実施の形態例を説明した後に説明する。このように、実施の形態例は本発明の理解を容易にするために、例示したものであり、本発明が実施の形態例で例示したもののみに限定されるものではない。
【００３７】
（実施の形態例１）
図１に、本発明の貼付体シートであって、キャリアシートの平面形状などがモデル化した猫形状のデザインを有する本発明の貼付体シートの一実施形態例のキャリアシート側から見た平面図、図２にそのＡ−Ａ´ラインでの切断面の端面図、図３に図１の貼付体シートの各層を構成している層の形状を個別に示した平面図で図３（ａ）が剥離性シートからなる台紙、図３（ｂ）が台紙上に積層される貼付体層と粘着剤層からなる貼付材（貼付体層と粘着剤層は同一形状なので更に分離して示すことは省略している。）、図３（ｃ）が貼付材上に積層されるキャリアシートの平面図である。
【００３８】
図１〜図３を参照、特に図２の積層断面の端面図からも理解されるように、１が剥離性シートからなる台紙、４が粘着剤層２と貼付体層３からなる貼付材、５がキャリアシートであり、これらがこの順に積層され、本発明の本態様の貼付体シート１０が構成されている。図３（ｂ）に示した６つの貼付材４は、デザイン化された猫の頭部の形状をしている部分が同形状の台紙１の６つの把持部１１に、それぞれ猫の頭部の形状が一致して重なるよう積層され、同様に図３（ｃ）に示した６つのキャリアシートは、それぞれ猫の頭部の形状が一致して重なるように先に積層されている貼付材４の上に積層された構造を有する。
【００３９】
このように
（ａ）粘着剤層２と貼付体層３とは同じ平面形状であり、粘着剤層２が台紙１に隣接しており、
（ｂ）台紙１ならびにはキャリアシート５は、それぞれ貼付材４面が露出しないように、貼付材を覆うのに必要最小限なまたは十分な面積ならびに平面形状を有しており、この例では、図１や図3から明らかなように、台紙１ならびにはキャリアシート５は猫の頭部に相当する把持部１１の面積、平面形状は、貼付材４の面積、平面形状と同一であるが、本体部においては台紙１の本体部１２ａ（図５で台紙のみの本体部を符号１２ａで示した）は、貼付材４の粘着剤層２側の面を完全に覆い得る大きさと形状を有している。キャリアシート５は、猫の尻尾のキャリアシート５の摘み部６に相当する部分が、貼付材４の貼付体層３よりはみ出す面積において大きい部分であり、猫の尻尾の部分を除いては、この例では、キャリアシート５の平面形状と面積は貼付材４の貼付体層３の平面形状と面積と同じである。しかし、前述したように、キャリアシート５の面積や平面形状は、平面視において、貼付材４の貼付体層３の形状からはみ出す部分を有し、面積が貼付体層３の面積より大きいものでもよい。
（ｄ）そして貼付体シート１０は、台紙１のみを厚さ方向に貫通する切込み７を有し、
（ｅ）把持部１１と本体部１２は、前記台紙のみを厚さ方向に貫通する切込みの切込み７のラインを全層に投影したと仮定した場合に、当該投影ラインが把持部と本体部の境界であり、図1、図２に示した例では台紙のみを厚さ方向に貫通する切込みの切込みライン７より猫の頭側が把持部１１であり、切込みの切込みライン７より猫の胴体側が本体部１２である。
（ｆ）更に、前記貼付体シート１０は、（ｆ１）貼付材４とキャリアシート５を厚さ方向に貫通する切込み８が設けられ、且つ、貼付体シート１０平面上から見て、（ｆ１）貼付材とキャリアシートを厚さ方向に貫通する切込みのライン８が台紙のみを厚さ方向に貫通する切込みのライン７より前記把持部の先端側方向に位置する部分を含んでいる。
なお、これらの切り込みのラインは、その位置が図面中の他の実線ラインで示されている他の部分と区別してわかるようにするため、点線（符号７と８）で描いているが、実際の切込みは、点線状ではなくではなく、連続線状になる（他の実施の形態例についても同様である）。
【００４０】
なお、この貼付材４とキャリアシート５を厚さ方向に貫通する切込み８と台紙１のみを厚さ方向に貫通する切込み７は、図１〜３に例示された例に限らず、例えば、図５の（ａ）〜（ｆ）に示されるように（台紙１に切込み８も投影した状態で台紙１のみで図示している。台紙１のみに切込み８も投影した状態で把持部１１ａ、本体部１２ａである）前者８が把持部１１ａ上を幅方向に相当する方向に設けられ、切込み７は把持部と本体部の境界となるものであり、且つ、貼付体シート平面上から見て、貼付材４とキャリアシート５を厚さ方向に貫通する切込み８のラインが台紙１のみを厚さ方向に貫通する切込み７のラインより前記把持部の先端側方向に位置する部分を含んでいる位置となるように設ければよい。なお、上記図５は、両切込み７と８の平面上での位置関係が明白になるように、貼付材４とキャリアシート５を厚さ方向に貫通する切込み８も、台紙１に投影して描いた状態の平面図である（貼付材４とキャリアシート５は描いていない）。そして、これらの切込みのラインの形状は、貼付体シート平面上から見て、貼付材とキャリアシートを厚さ方向に貫通する切込みのライン又は台紙のみを厚さ方向に貫通する切込みのラインの、いずれか少なくとも1つが、直線状ライン（図５（ａ）、（ｂ）、（ｆ）の切込み７、図５（ｂ）の切込み８など）、凸の折れ線状ライン（図５（ｆ）の切込み８など、台形状であるが凸の折れ線状ラインと言える）、又は凹の折れ線状ライン（図示なし）、凹凸の折れ線状ライン（図５（ｅ）の切込み７など）、又は凸の曲線状ライン（図５（ａ）、（ｃ）、（ｄ）の切込み８や図５（ｄ）の切込み７など）、又は凹の曲線状ライン図５（ｃ）の切込み７など）、又は凹凸の曲線状ライン（図５（ｅ）の切込み８など）、又は前記折れ線状と曲線状の混在ライン（図示なし）など、本発明の機能を達成できる切込み形状であれば特に限定されないが、いずれにせよ、貼付体シート１０平面上から見て、貼付材４とキャリアシート５を厚さ方向に貫通する切込み８のラインが台紙１のみを厚さ方向に貫通する切込み７のラインより前記把持部の先端側方向に位置する部分を含んでいることが必要である。すなわち、切込み８と切込み７の平面上の位置関係で上記のごとくすることにより、切込み８と切込み７の間を指で把持（把持する位置を図２、図４、図８（ａ）などにおいて矢印ＣとＤで示した。）することが可能なように切込み８と切込み７の平面上の位置の少なくとも一部又は全部がずれるように設計することが必要である。なお、（ｆ１）貼付材とキャリアシートを厚さ方向に貫通する切込み８の代わりに後述する（ｆ２）貼付材のみを厚さ方向に貫通する切込み１３（例えば図１０（ａ）参照）が設けられる場合の、貼付材のみを厚さ方向に貫通する切込み１３のラインと台紙のみを厚さ方向に貫通する切込み７のラインの関係は、上記、切込み８と切込み７の関係と同様であるが、この添付体シートを使用する際の切込み１３と切込み７の間を指で把持する位置（把持する位置を図１０において矢印ＣとＤで示した。）が若干異なる。いずれの切込みも、上記課題を解決するための手段の（１）の（ｆ）で規定した所定の各切込みのラインの関係を満たし、各切込みのラ��ンの方向は、平面視で把持部と本体部の連なり方向（例えば、図１のＡ−Ａ´方向）を横切る方向に、切込みが設けられる層の一方の縁から他方の縁に横断するよう設けられている。なお、後述する他の態様についても、矢印ＣとＤは、指で把持する位置を示したものである。
【００４１】
かくして得られた貼付体シートの使用方法を図１のＡ−Ａ´断面の端面図を用いて、図２と図８を引用して説明する。
【００４２】
まず図２の矢印ＣとＤで示した切込み８より内側で且つ切込み７より外側（切込み８のラインが切込み７のラインより前記把持部１１の先端側方向に位置することにより形成される切込み８と切込み７を平面上に重ねたときに生じる両者の間の部分）を指で挟み、図８（ａ）に示すように、矢印ＣとＤで示した部分を徐々に上に持ち上げ、切込み７より台紙１の本体側から、貼付材４とキャリアシート５の積層体を剥離する。この際、キャリアシート５の矢印Ｃの部分が指で押さえられているので、貼付材４の粘着剤層２と台紙１の間の粘着力より、貼付材４の貼付体層４とキャリアシート５の間の粘着力が若干弱くても、貼付材４の粘着剤層２と台紙１の間が剥がれずに、貼付体層４とキャリアシート５の間が先に剥がれてしまうことを防止できる。
【００４３】
次に、図８（ｂ）に示すように、粘着剤層２が露出した貼付材４とキャリアシート５の積層体を皮膚などの目的とする被貼付物２０の表面に貼り付ける。
【００４４】
次に図８（ｃ）に示すように、貼付材４とキャリアシート５を厚さ方向に貫通する切込み８より端部側を指で挟み、その部分の台紙１、貼付材４とキャリアシート５の積層体を切込み８を利用して取り除き、残った貼付材４とキャリアシート５の積層体の端部（図８（ｃ）では残った貼付材４とキャリアシート５の積層体の左側の端部矢印Eで示した）を被貼付物２０の表面に押し付けて貼り付ける。
【００４５】
そして、最後にキャリアシート５の貼付材外周よりはみ出る摘み部６（図１ではキャリアシート５の猫の尻尾に相当する部分）をつかんで、キャリアシート５を剥離除去する。
【００４６】
こうすることにより、皮膚などの目的とする被貼付物２０の表面に貼付材４をしわなどの発生がなくきれいに、しかも指などが粘着剤層２や貼付体層３に触れずに貼り付けることができる。
【００４７】
なお、この実施形態例では１つの大きな台紙１の上に、複数組（６組）の貼付材４とキャリアシート５の積層体が並列して形成されている例を示しているが、１つの台紙に、１組の貼付材とキャリアシートの積層体が形成されていてもよいし、１つの大きな台紙１の上に、６組以外の複数組の貼付材４とキャリアシート５の積層体が並列して形成されていてもよいし、他の実施形態例においても同様である。
【００４８】
なお、１つの台紙に、１組の貼付材とキャリアシートの積層体が形成するような場合の例を説明すると、例えば台紙１は貼付材の粘着剤層２の面が台紙よりはみ出して露出する部分が生じないように貼付材４の粘着剤層２側の面を覆うのに必要最小限なまたは十分な面積ならびに平面形状を有していればよく、要するに、台紙１が図３（ｂ）の貼付材４の一個の大きさと同じ面積の場合は、台紙１の平面形状も貼付材４の平面形状とまったく同一にすることになる。また、台紙１が図３（ｂ）の貼付材４の一個の大きさより大きい面積を有していてもよく、その場合においても台紙１は貼付材４の粘着剤層２の面が台紙１よりはみ出して露出する部分が生じないように台紙１が貼付材４の周囲形状よりはみ出す部分があるように面積を若干大きくする。台紙１が平面形状において貼付材４の全周囲からはみ出す部分があるような大きさにしてもよい。キャリアシートと貼付材との大きさや形の関係も同様であり、１つの台紙に、１組の貼付材とキャリアシートの積層体が形成されている場合においても、当然キャリアシート５は貼付材４の貼付体層3の面がキャリアシート５よりはみ出して露出する部分が生じないように貼付材４の貼付体層３側の面を覆うのに必要最小限なまたは十分な面積ならびに平面形状を有していればよく、要するに、キャリアシート５が図３（ｂ）の貼付材４の一個の大きさと同じ面積の場合は、キャリアシート５の平面形状も貼付材４の平面形状とまったく同一にすることになる。また、キャリアシート５が図３（ｂ）の貼付材４の一個の大きさより大きい面積を有していてもよく、その場合もキャリアシート５は貼付材４の貼付体層３側の面がキャリアシート５よりはみ出して露出する部分が生じないようにキャリアシート５が貼付材４の周囲形状よりはみ出す部分があるように面積を若干大きくしてもよい。当然、キャリアシート５が平面形状において貼付材４の全周囲からはみ出す部分があるような大きさにしてもよい。これらのことは、他の実施の形態例についても同様である。
【００４９】
（実施の形態例２）
次に、図４に、キャリアシート５の貼付材外周よりはみ出る摘み部６に相当する部分を持たない態様の本発明の実施の形態例について説明する。相違部分は理解しやすいので、図４に、図１のＡ−Ａ´ラインでの断面の端面図に相当する断面の端面図（但し、猫の尻尾に相当するキャリアシート５の貼付材外周よりはみ出る摘み部６に相当する部分を有していない）のみを挙げて説明する。
【００５０】
各層の構成はこの例では、キャリアシートが、貼付材と同一の平面形状を有していて、キャリアシートと貼付材の貼付体層との間の端部の一部が非接着性にされており、前記非接着性にされている部分は本体部側に位置するキャリアシートと貼付材の貼付体層との間であると言う点を除いて先の実施の形態例１と同様なので、同一の部分には、同一の符号を付して重複説明を省略している。
【００５１】
実施形態例１と異なるのは、上述したようにキャリアシート５が、貼付材４と同一の平面形状を有していて、キャリアシート５と貼付材４の貼付体層３との間の端部の一部が非接着性にされており、前記非接着性にされている部分は本体部側に位置するキャリアシート５と貼付材４の貼付体層３との間である。図４に図示した例では、キャリアシート５と貼付材４の貼付体層３との間の切込み７や８が形成されている側とは反対側の端部にポリエステルフィルムやポリオレフィンフィルムなどの業界用語で「のり殺し」９と呼ばれているものをキャリアシート５の裏側に接着している。のり殺し９は、この部分と貼付体層３との間が非接着状態に維持できればよいので、離形性のコーティングなどでもよい。
【００５２】
かかる図４に示したタイプの使用方法は、最後にキャリアシート５を剥離除去するやり方が若干異なる点を除いて実施の形態例１と同様であり、図８の（ａ）〜（ｃ）と使用操作は同一である。そして図８の（ｄ）に相当する段階において、キャリアシート５の貼付材外周よりはみ出る摘み部６（図１ではキャリアシート５の猫の尻尾に相当する部分）をつかんで、キャリアシート５を剥離除去する代わりに、のり殺し９が形成されている部分のキャリアシート５とのり殺し９の部分の縁を指の腹などでめくり上げてキャリアシート５をのり殺し９とともに剥離除去すればよい。
【００５３】
こうすることにより、皮膚などの目的とする被貼付物２０の表面に貼付材４をしわなどの発生がなくきれいに、しかも指などが粘着剤層２や貼付体層３に触れずに貼り付けることができる。
【００５４】
（実施の形態例３）
この実施形態例は、実施形態例２に示したタイプ（平面形状は異なる）において、積層構成が実施形態例２に示したタイプ（図４）と同様の貼付体シートの構成において、貼付材とキャリアシートを厚さ方向に貫通する切込み８が存在せず台紙のみを厚さ方向に貫通する切込み７が設けられている貼付体シートである。
【００５５】
図６に、本発明の実施形態例３の貼付体シートであって、貼付材とキャリアシートの平面形状などが細長のカプセル型の平面形状をした本発明の貼付体シートの一実施形態例のキャリアシート側から見た平面図、図７にそのＡ−Ａ´ラインでの切断面の端面図を示した。
【００５６】
キャリアシート５が、貼付材４と同一の平面形状を有していて、キャリアシート５と貼付材４の貼付体層３との間の端部の一部が非接着性にされており、前記非接着性にされている部分は台紙１の本体側に位置するキャリアシート５と貼付材４の貼付体層３との間である。図６、図７に図示した例では、剥離性シートからなる台紙１のみを貫通する切込み７が形成されている側（把持部側）とは反対側の端部にポリエステルフィルムやポリオレフィンフィルムなどののり殺し９をキャリアシート５の裏側に接着している。のり殺し９は、この部分が貼付体層３と非接着状態に維持できればよいので、離形性のコーティングなどでもよいことは前述の通りである。なお、図６からも明らかなように、のり殺し９とは反対側方向の位置に、台紙１のみを貫通する切込み７でその平面形状が、台形状に凸の折れ線状の形状となっている切込み７が形成されている。
かかる図６、図７に図示した実施形態例の貼付体シートの使用方法を、図７と図９を引用して説明する。
【００５７】
まず図７の矢印ＣとＤで示した切込み７より外側（切込み７のラインより把持部の先端側方向、図７基準で左端部側近傍）を指で挟み、図９（ａ）に示すように、矢印ＣとＤで示した部分を徐々に上に持ち上げ、切込み７より台紙１の本体側から、貼付材４とキャリアシート５の積層体を剥離する。この際、キャリアシート５の矢印Ｃの部分が指で押さえられているので、貼付材４の粘着剤層２と台紙１の間の粘着力より、貼付材４の貼付体層３とキャリアシート５の間の粘着力が仮に若干弱くても、貼付材４の粘着剤層２と台紙１の間が剥がれずに、貼付体層４とキャリアシート５の間が先に剥がれてしまうことを防止できる。
【００５８】
次に、図９（ｂ）に示すように、粘着剤層２が露出した貼付材４とキャリアシート５の積層体を皮膚などの目的とする被貼付物２０の表面に貼り付ける。
【００５９】
次に図９（ｃ）に示すように、台紙１の残っている部分を、指の腹などで粘着剤層２より剥がし、その部分の台紙１を除去し、その上の貼付材４とキャリアシート５の積層体の端部（図９（ｃ）基準では貼付材４とキャリアシート５の積層体の左側の端部）を被貼付物２０の表面に貼り付ける。
【００６０】
そして、最後に図９（ｄ）に示すように、のり殺し９が形成されている部分のキャリアシート５とのり殺し９の部分の縁を指の腹などでめくり上げてキャリアシート５をのり殺し９とともに剥離除去する。
【００６１】
こうすることにより、皮膚などの目的とする被貼付物２０の表面に貼付材４をしわなどの発生がなくきれいに、しかも指などが粘着剤層２や貼付体層３にあまり触れずに貼り付けることができる。
【００６２】
なお、この実施の形態においてのり殺し９を使用せずに、実施の形態例1において示したように、キャリアシートに摘み部を設ける態様としても良いことはもちろんである。
【００６３】
（実施の形態例４）
次に、図１０を引用して、貼付材４のみを厚さ方向に貫通する切込み１３と台紙のみを厚さ方向に貫通する切込み７が設けられている貼付体シートについて説明する。実施の形態例１の貼付体シートと異なる点は、実施の形態例１の貼付材４とキャリアシート５を厚さ方向に貫通する切込み８に代えて、同じ平面位置に貼付材４のみを厚さ方向に貫通する切込み１３が採用されている点、キャリアシートに摘み部６が存在しない点を除いて、他の態様はすべて実施の形態例１と同一であり、実施の形態例１と同一の部分には、同一の符号を付して、重複説明を省略している。
【００６４】
図１０（ａ）が、図1のＡ−Ａ´ラインでの切断面の端面図に相当する本実施形態例の貼付体シートの断面の端面図である。この図からも明らかなように、実施の形態例１の貼付体シートと異なるのは、貼付材４とキャリアシート５を厚さ方向に貫通する切込み８に代えて、同じ平面位置に貼付材４のみを厚さ方向に貫通する切込み１３が採用されている点のみである。
【００６５】
この貼付体シートの使用方法は、まず図１０（ａ）の矢印ＣとＤで示した切込み１３より端部側（切込み１３のラインより把持部の先端寄り側の位置）を指で挟み、図１０（ｂ）に示すように、矢印ＣとＤで示した部分を徐々に上に持ち上げ、切込み７より台紙１の本体側から、貼付材４とキャリアシート５の積層体を剥離する。この際、キャリアシート５の矢印Ｃの部分が指で押さえられているので、貼付材４の粘着剤層２と台紙１の間の粘着力より、貼付材４の貼付体層３とキャリアシート５の間の粘着力が若干弱くても、貼付材４の粘着剤層２と台紙１の間が剥がれずに、貼付体層３とキャリアシート５の間が先に剥がれてしまうことを防止できる。
【００６６】
次に、図１０（ｃ）に示すように、粘着剤層２が露出した貼付材４とキャリアシート５の積層体を皮膚などの目的とする被貼付物２０の表面に貼り付ける。
【００６７】
次に図１０（ｄ）に示すように、貼付材４を厚さ方向に貫通する切込み１３より端部側（前述した矢印ＣとＤで示した部分）を指で挟み、切込み７より端部側の部分の台紙１と切込み１３より端部側の部分の貼付材４の積層体並びに全キャリアシート５も切込み7と１３を利用して同時に取り除く。その際、残った貼付材４の端部（図８（ｄ）では残った貼付材４の左側の端部、矢印Eで示した）を被貼付物２０の表面に押し付けて貼り付ける。
【００６８】
こうすることにより、簡単な操作で皮膚などの目的とする被貼付物２０の表面に貼付材４をしわなどの発生がなくきれいに、しかも指などが粘着剤層２や貼付体層３にあまり触れずに貼り付けることができる。
【００６９】
（本発明の貼付体シートの一般説明）
次に、本発明の貼付体シートの各層を構成する材料や条件などの本発明に共通する一般説明を下記する。
【００７０】
剥離性シートからなる台紙としては、貼付体層より剛性があるシートが好ましく、ポリプロピレンやポリ４−メチルペンテンー１等のポリオレフィン、ポリエチレンテレフタレート、ポリブチレンテレフタレートなどのポリエステルなどのプラスチックシートやフィルム、プラスチックフィルムと紙とのラミネート紙など、の上にシリコーンその他の適宜の離形剤などで剥離処理を行った剥離性シートで、粘着剤層から剥離できる剥離性シートからなる台紙が使用できる。台紙の厚みは、貼付体層より剛性があれば特に限定されるものではないが、取り扱い性の点から、通常１０〜３００μｍ、好ましくは２０〜２００μｍ、より好ましくは２５〜１００μｍの範囲である。
【００７１】
台紙は前述のように平面形状において貼付材の粘着剤層の面が露出しないように、貼付材の粘着剤層を覆うのに必要最小限なまたは十分な面積ならびに平面形状を有していることが必要である。台紙の面積が貼付材の粘着剤層の面積と同一の場合には、その平面形状は、貼付材の粘着剤層の平面形状と同一になる。また、台紙の面積は、貼付材の粘着剤層が露出しないように完全に覆うことができる形状であれば、その面積は粘着剤層の面積より大きいものでもよい。
【００７２】
貼付体層としては、皮膚に貼付材が添付された場合に、目立ちにくいという観点からは、ポリウレタン、エチレン／酢酸ビニル共重合体、ポリアミド、ポリエーテル、ポリエステル、ポリエチレン、ポリプロピレン、などの各種プラスチックやエラストマーなどの材料からなる透明なフィルム（肌色に着色されているなど、透明性を保ちながら着色されていることが目立ちにくく、好ましい）が好ましく、特にエラストマーフィルムが好ましい。
【００７３】
エラストマーフィルムとしては、各種のエラストマーからなるフィルムが使用可能であるが、ポリウレタンエラストマーが最も好ましい。皮膚に貼付材が添付された場合に、目立ちにくいということが特に重視されない場合には、織布、編布、不織布、紙などを用いることもできる。
【００７４】
貼付体層の厚みは、使用目的に応じて変わるが、通常５〜６０μｍ、好ましくは５〜５０μｍの範囲である。そして、粘着剤層と貼付体層からなる貼付材の厚みは、合計厚みで２５〜１００μｍであることが好ましく、これらの厚みの測定法はダイヤルゲージにより測定することができる。
【００７５】
貼付体層のキャリアシート側の表面粗さは、貼付体層の厚さより小さく且つ十点平均粗さRzjis(JIS B0601:2001)で４〜４０μｍの範囲であることが好ましく、かかる粗面とすることで、肌などに貼付された場合に、マスキング効果が高まり目立ちにくくなり、化粧品ののりもよい。特に化粧品ののりを良くするには、Rzjis(JIS B0601:2001)で４〜２０μｍの範囲が好適である。
【００７６】
貼付体層のキャリアシート側の粗面化方法は、目的の粗面化ができれば、特に限定されるものではなく、鋳型（例えば目的の粗さに粗面化された、フィルムや紙など）の上に貼付体層を構成する樹脂を溶液で塗布する方法、凹凸の鋳型を持つ熱圧着ロールでプレスして形成する方法、サンドブラスト（砂などを擦り当てて粗面にする）方法、樹脂の印刷（グラビアコーターによる）、３Ｄ印刷の手法などが挙げられる。
【００７７】
粘着剤層に用いる粘着剤としては、貼付体シートで用いられている粘着剤が使用でき、アクリル系粘着剤、シリコーン系粘着剤、ゴム系粘着剤などが代表的である。貼付材が皮膚に貼付される場合には、皮膚への刺激性の少ない粘着剤を用いることが好ましく、アクリル系粘着剤が好ましい。また、皮膚刺激を大幅に抑える観点から、ゲル粘着剤を用いることが特に好ましい。ゲル粘着剤は、被貼付物として、皮膚面に貼付した場合、剥がす際に角質を損傷しにくく好ましい。ゲル粘着剤としては、シリコーン系粘着剤、またはゴム系の粘着剤でもよいが、アクリル粘着剤は水蒸気透過性を高め皮膚表面の蒸れ浸軟を生じにくくさせる点でより使い易くて好ましい。ゲル粘着剤は特に限定するものではないが、通常の粘着剤１００重量部に、この粘着剤と相溶する室温で液体ないしペースト状である成分を５〜１００重量部含有させ、架橋して得られる粘着剤などである。
【００７８】
粘着剤層には、本発明の機能が阻害されない限り、適宜、この種の貼付材に適用されている薬理活性物質、その他の添加剤を添加することができる。薬理活性物質としては、例えば、抗真菌剤、ビタミン剤、皮膚の炎症抑制剤、皮膚のかゆみ抑制剤、鎮痛剤、その他の添加剤としては、例えば、酸化防止剤、あるいは炭酸カルシウム、酸化チタンその他の充填剤などが挙げられる。
【００７９】
キャリアシートとしては、貼付体層より剛性があるシートが好ましく、貼付体層と剥離可能な状態で積層されている。キャリアシートの例としては、例えば、ポリエチレンテレフタレート、ポリブチレンテレフタレートなどのポリエステル、ポリプロピレンやポリ４−メチルペンテンー１等のポリオレフィンなどのプラスチックシートやフィルム、プラスチックフィルムと紙とのラミネート紙などが挙げられる。特にポリエチレンテレフタレートなどのポリエステルフィルムが好ましく用いられる。
【００８０】
キャリアシートと貼付体層を剥離可能な状態で積層するには、用いるキャリアシートと貼付体層の素材によって選択されるが、加熱圧着して積層する方法、加圧して積層する方法、キャリアシートの貼付体層を積層する側に粘着剤が塗布されたキャリアシートを用いる方法などがある。貼付体層のキャリアシート側の面を、化粧品がのる程度に粗面化する場合には、キャリアシートと貼付体層との粘着力が弱くなるので、前記のごとくキャリアシートの貼付体層を積層する側に粘着剤が塗布されたキャリアシートを用いることが好ましい。
【００８１】
キャリアシートの厚みは、取り扱い性の点から、２０〜２００μｍ程度のものを用いることが好ましく、より好ましくは２５〜１７０μｍ、更に好ましくは３０〜１５０μｍ、特に好ましくは４０〜１００μｍである。
【００８２】
キャリアシートは前述のように平面形状において貼付材の貼付体層の面が露出しないように、貼付材の貼付体層を覆うのに必要最小限なまたは十分な面積ならびに平面形状を有していることが必要である。すなわち、キャリアシートは貼付材の貼付体層と同一の平面形状を有しているか、又は、貼付材の貼付体層と同一の平面形状に更に当該形状外周よりはみ出る部分を有するような貼付体層より大きな面積を有していてもよく、例えば、貼付体層の平面の形状の外周よりはみ出る部分がキャリアシート本体部分にも存在する場合には、そのはみ出た部分を、前記実施の形態例１において説明した摘み部とすることもできる。摘み部の位置は、キャリアシート本体部分のいずれかの部位に設けることができ、把持部側と反対側の端部のみに限定されるものではない。
【００８３】
また、図４や、図６、図７を用いて説明した実施形態例のように、キャリアシートの端部にのり殺しと称するキャリアシートと貼付材の貼付体層との間の端部の一部を非接着性にするには、キャリアシートの貼付体層に隣接する側に、貼付体層と非接着性のフィルム、例えばポリエステルフィルム、ポリオレフィンフィルムなどを接着積層しておくとか、非接着性となるような離形剤を塗布しておく、あるいは、貼付体層を積層する側に粘着剤が塗布されたキャリアシートを用いる場合には、非接着性にすべき部分に、粘着剤が塗布されていないキャリアシートを用いるなどが挙げられる。キャリアシートと貼付材の貼付体層との間の端部の一部が非接着性にされる部分は、台紙の本体部側に位置するキャリアシートの縁部の一部に沿って形成されていればよい。すなわち、非接着性にされる部分の位置は、把持部側と反対側のキャリアシート端部のみに限定されるものではない。
【００８４】
なお、キャリアシートは、最上層に位置し、しかも、貼付材を被貼付物に貼付した後は、剥がして捨てられるので、必要に応じ、任意の色づけや模様を付しておいてもよい。例えば、図1に示したデザイン化された猫の形のキャリアシートに猫の斑模様などを付するなどである。
【００８５】
貼付材とキャリアシートを厚さ方向に貫通する切込み、貼付材のみを厚さ方向に貫通する切込み、台紙のみを厚さ方向に貫通する切込みなどの切込みに関しては、実施の形態例１のところで説明したとおりである。
【００８６】
次に本発明の貼付体シートの種々の態様の理解を容易にするために図１１〜図１５に図１や図６のＡ−Ａ´断面と同趣旨の方向の断面の端面図を用いて、少数の例を説明する。但し、本発明の貼付体シートは、ここで例示した態様のみに限定されるものではない。
【００８７】
尚、図１１〜図１５において、図１〜１０と同じ構成部分は、図１〜１０で使用した符号と同じ符号を付して、再度の詳細重複説明を省略している。なお、各層の平面形状は、図１や図６で示した態様のものに限定されるものではなく、本発明の目的を達成できる限り任意の形状でよい。
【００８８】
図１１に示した態様は、図２で示した態様と同様に、台紙１のみを厚さ方向に貫通する切込み７と貼付材４とキャリアシート５を厚さ方向に貫通する切込み８とが設けられているタイプであるが、台紙１、粘着剤層と貼付体層からなる貼付材４と、キャリアシート５がすべて同一平面積を有し同一形状の貼付体シートである。但し図示されていないが、平面視で図１や図６のＡ−Ａ´ラインと直角方向のラインでの切断面を想定した場合、台紙１、粘着剤層と貼付体層からなる貼付材４と、キャリアシート５がすべて同一平面積を有し同一形状のものに限られず、台紙１及び／又はキャリアシート５が貼付材４よりはみ出る部分（以下、台紙１やキャリアシート５が貼付材４よりはみ出るすべての部分を「余白部分」と略称する。）があってもよい。このことは、以下の態様においても同様である。
【００８９】
図１２に示した態様は、図２で示した態様と同様に、台紙１のみを厚さ方向に貫通する切込み７と貼付材４とキャリアシート５を厚さ方向に貫通する切込み８とが設けられているタイプであるが、キャリアシート５の把持部の面積が他の層の面積より大きくされているタイプである。
【００９０】
図１３に示した態様は、図２で示した態様と同様に、台紙１のみを厚さ方向に貫通する切込み７と貼付材４とキャリアシート５を厚さ方向に貫通する切込み８とが設けられているタイプであるが、台紙１の把持部と本体部の面積が他の層の面積より大きくされているタイプである。
【００９１】
図１４に示した態様は、図２で示した態様と同様に、台紙１のみを厚さ方向に貫通する切込み７と貼付材４とキャリアシート５を厚さ方向に貫通する切込み８とが設けられているタイプであるが、台紙１とキャリアシート５の把持部と本体部の面積が貼付材４の面積より大きくされているタイプである。
【００９２】
図１５に示した態様は、台紙１のみを厚さ方向に貫通する切込み７のみが設けられているタイプであるが、台紙１とキャリアシート５の把持部と本体部の面積が貼付材４の面積より大きくされているタイプである。なお、このタイプで図１１〜図１４などに例示した大きさの台紙やキャリアシートを用いたタイプにしてもよいことはもちろんであり、図示していないが、図１０で例示したような、台紙１のみを厚さ方向に貫通する切込み７と貼付材４のみを厚さ方向に貫通する切込み１３とが設けられているタイプについても同様に図１１〜図１４を用いて説明した各層の平面の面積・形状の態様などが適用できることも同様である。
【００９３】
次に、本発明の貼付体シートの製造方法については、特に限定するものではないが、その一例を挙げれば、次のようである。
（１）表面に人工皮革の表皮調の凹凸の反転柄を有する剥離性の鋳型の上に、たとえばポリウレタンなどの貼付体層の溶液を流涎して乾燥させたものを鋳型から剥離して貼付体層を得る。
（２）一方の表面が離形加工されたポリエチレンテレフタレートフィルムなどの剥離性シートからなる台紙の離形加工された面に粘着剤を塗工し、台紙に粘着剤層を形成する。
（３）前記（１）で形成された貼付体層の転写面には、鋳型表面の反転柄が転写されており、転写面の反対側の面は平滑である。この貼付体層の平滑面と（２）で用意した台紙の粘着剤層を貼り合わせる。
例えば、工業的には（１）〜（３）の工程は、ロール状の長尺体で行われるが、その場合、
（４）次に製品サイズ（台紙）の大きさに合わせて、スリットする（例えば７０ｍｍ幅の大きさなど）。
（５）図１のようなキャリアシートに摘み部６が存在するような場合は、台紙中央部側の粘着剤層と貼付体層からなる貼付材の末端が猫の尻尾の付け根になるので、図１のような左側３個、右側３個の猫形状の猫の尻尾の付け根を図１基準で縦に直線で結ぶ左右の２本の直線ラインに沿って、その２本の直線ライン間の貼付体層と粘着剤層からなる貼付材部分をスリットし、剥がして除去する。実施の形態例２で説明したような、ならびに図６に示したような摘み部６が存在しないようなタイプの場合には、左側３個、右側３個の台紙中央部側の粘着剤層と貼付体層からなる貼付材の末端をそれぞれ結ぶ接線からなる左右の２本の直線ラインに沿って、その２本の直線ライン間の貼付体層と粘着剤層からなる貼付材部分をスリットし、剥がして除去する。（５ｂ）尚、台紙の平面形状が、貼付材の平面形状と全く同一形状、同一平面面積とする場合には、上記（５）の工程を省いて、貼付材と台紙が目的となる平面形状となるよう貼付材層と台紙をカットする。
（６）貼付材のみを厚さ方向に貫通する切込みが設けられるタイプ（図10の切込み１３など）においては、ここで、貼付材のみを厚さ方向に貫通する切込みを入れる。
（７）前記（５）、（５ｂ）または（６）で得られた台紙と粘着剤層と貼付体層からなる貼付材の貼付体層側に、前記（４）と同サイズにカットしたキャリアシートを貼り合せて積層する。のり殺しをつける場合には、のり殺しがすべてのカット操作後、所望の位置に残るようにキャリアシートの裏側にのり殺しを形成しておく。
（８）キャリアシート側から、目的とするキャリアシートの外郭形状、例えば図１に示すような猫形状や図６に示すカプセル形状などの外郭形状に沿ってカットし、不要部分を除去する。（８ｂ）尚、台紙とキャリアシートの平面形状が、貼付材の平面形状と全く同一形状、同一平面面積とする場合には、（５ｂ）の工程を省略し、台紙と貼付材とキャリアシートが目的となる平面形状となるよう台紙と貼付材層とキャリアシート積層状態でカットしてもよい。
（９）粘着剤層と貼付体層からなる貼付材に至る切込み（図１、図２、図４などの切込み８）を有するタイプの場合には、次にキャリアシート側から、キャリアシートと粘着剤層と貼付体層からなる貼付材に至る切込み（図１、図２、図４などの切込み８）を入れる。但し、図６、図７、図１０などを用いて説明した貼付材とキャリアシートを厚さ方向に貫通する切込み８が存在しない貼付体シートの場合には、この工程がない。
（１０）最後に、台紙側から台紙のみを貫通する切込み（図１、図２、図４、図７、図１０などの切込み７）を入れる。
(１１)貼付材のみを厚さ方向に貫通する切込みを設ける以外のタイプで、台紙とキャリアシートの平面形状が、貼付材の平面形状と全く同一形状、同一平面面積とする場合には、は、（３）の工程の次に、貼付体層の上にキャリアシートを積層し、のり殺しを入れる場合には、この段階でのり殺しを形成しておいて、全層を目的の形にカットし、必要なら（９）、そして（１０）工程に進む方法でもよい。
【００９４】
以上のような方法により、本発明の貼付体シートが製造できるが、これは本発明の貼付体シートの製造方法の一例であり、本発明の貼付体シートの製造方法はこの方法のみに限定されるものではないし、本発明の貼付体シートは、何ら、この製造方法によって製造された貼付体シートに限定されるものではなく、要は、目的の順に層が積層されており、各層の平面形状が目的の形状になるように、且つ、必要に応じた切込みが形成できる方法であれば、上記の方法に限定されるものではない。
【実施例】
【００９５】
以下、実施例により本発明をさらに詳細に説明するが、本発明は以下の実施例に限定されるものではない。
【００９６】
（実施例１）
実施の形態例１で説明した貼付体シートを前記製法の工程（１）〜（５）、（７）〜（１０）に従い製造した。
【００９７】
この貼付体シートにおいては、貼付体層としてポリエーテル系ポリウレタン（東レコーテックス株式会社製）を用い、貼付体層のキャリアシート側の表面粗さをＲｚjis(JIS B0601:2001)［以下の実施例では単にＲｚjisと略称する］で１２μｍとし、貼付体層の厚みを25μmとした。粘着剤層としては、アクリル系ゲル粘着剤（オクチルアクリレートとアクリル酸の共重合体１００重量部に、モノオレイン酸ソルビタンエステルを９重量部添加し、イソシアネート系架橋剤を２．５重量部添加して作成）溶液を調整し、剥離処理を施した台紙にキャスト後乾燥させ、粘着剤層を得た後、貼付体層を積層し、粘着剤層と貼付体層からなる貼付材の厚みが、合計厚みで40μmとなるように作成した。
【００９８】
また、キャリアシートとしては、貼付体層側に当接する面が粘着処理されて易粘着化処理された厚さ75μmのポリエチレンテレフタレートフィルムを用い、台紙として粘着剤層に当接される側の面が剥離性の処理がされた厚さ50μmのポリエチレンテレフタレートフィルムを用いた。
【００９９】
得られた貼付体シートにおいて、キャリアシートと貼付材間の粘着力が0.01Ｎ/20ｍｍであり、貼付材と台紙間の粘着力が0.05N/20ｍｍであった。
【０１００】
得られた貼付体シートを、図８を引用して説明したような使用方法で、顔の肌に貼付したところ、目的とする順番で必要な層を剥がすことができ（先にキャリアシートが剥がれたり、或いは最後にキャリアシートをはがす際に、貼付材まで剥がれてしまうことがなく、まず台紙を剥がし、被貼付物に貼付し、最後にキャリアシートを剥がす）、しわの発生がなく、化粧品の乗りもよく、粘着剤面や貼付体層を指で触れて汚さずに被貼付物に貼付可能な貼付体シートであった。
【０１０１】
(実施例２)
実施の形態例２で説明した貼付体シートを前記製法の工程（１）〜（５）、（７）〜（１０）に従い製造した。
【０１０２】
この貼付体シートにおいては、貼付体層としてポリエーテル系ポリウレタン（東レコーテックス株式会社製）を用い、貼付体層のキャリアシート側の表面粗さをＲｚjisで１２μmとし、貼付体層の厚みを30μm、粘着剤層と貼付体層からなる貼付材の厚みが、合計厚みで50μmとした。粘着剤層としては、実施例1で用いた粘着剤を採用して作成した。
【０１０３】
また、キャリアシートとしては、貼付体層側に当接する面が粘着処理されて易粘着化処理された厚さ50μmのポリエチレンテレフタレートフィルムを用い、本体部の端部側にのり殺しとして厚さ5μｍのポリプロピレンテープを貼り付けて非粘着部を設けた。台紙として粘着剤層に当接される側の面が剥離性の処理がされた厚さ110μmのポリラミネート剥離紙を用いた。
【０１０４】
得られた貼付体シートにおいて、キャリアシートと貼付材間の粘着力が0.01Ｎ/20ｍｍであり、貼付材と台紙間の粘着力が0.05N/20ｍｍであった。
【０１０５】
得られた貼付体シートを、図８を引用して説明したような使用方法（但し、摘み部はないので、キャリアシートをはがす場合には、指の腹で、キャリアシートの端部をめくり上げる）で、顔の肌に貼付したところ、目的とする順番で必要な層を剥がすことができ（先にキャリアシートが剥がれたり、或いは最後にキャリアシートをはがす際に、貼付材まで剥がれてしまうことがなく、まず台紙を剥がし、被貼付物に貼付し、最後にキャリアシートを剥がす）、しわの発生がなく、化粧品ののりもよく、粘着剤面や貼付体層を指で触れて汚さずに被貼付物に貼付可能な貼付体シートであった。
【０１０６】
(実施例３)
実施の形態例３で説明した貼付体シートを前記製法の工程（１）〜（４）、（７）、（８）、（１０）に従い製造した。
【０１０７】
この貼付体シートにおいては、貼付体層としてポリエーテル系ポリウレタン（東レコーテックス株式会社製）を用い、貼付体層のキャリアシート側の表面粗さをＲｚjisで12μｍとし、貼付体層の厚みを35μm、粘着剤層と貼付体層からなる貼付材の厚みが、合計厚みで60μmとした。粘着剤層としては、アクリル系ゲル粘着剤（オクチルアクリレート、酢酸ビニル及びヒドロキシエチルアクリレートを酢酸エチル中で共重合した粘着剤１００重量部に、モノオレイン酸ソルビタンエステルを２５重量部添加し、イソシアネート系架橋剤を１重量部加えて作成）溶液を調整し、剥離処理を施した台紙にキャスト後乾燥させ、粘着剤層を得た後、貼付体層を積層し、貼付材を作成した。
【０１０８】
また、キャリアシートとしては、貼付体層側に当接する面が粘着処理されて易粘着化処理された厚さ50μmのポリエチレンテレフタレートフィルムを用い、本体部の端部側にのり殺しとして厚さ5μｍのポリプロピレンテープを貼り付けて非粘着部を設けた。台紙として粘着剤層に当接される側の面が剥離性の処理がされた厚さ75μmのポリエチレンテレフタレートフィルムを用いた。
【０１０９】
得られた貼付体シートにおいて、キャリアシートと貼付材間の粘着力が0.015Ｎ/20ｍｍであり、貼付材と台紙間の粘着力が0.03N/20ｍｍであった。
【０１１０】
得られた貼付体シートを、図９を引用して説明したような使用方法で、顔の肌に貼付したところ、目的とする順番で必要な層を剥がすことができ（先にキャリアシートが剥がれたり、或いは最後にキャリアシートをはがす際に、貼付材まで剥がれてしまうことがなく、まず台紙を剥がし、被貼付物に貼付し、最後にキャリアシートを剥がす）、しわの発生がなく、化粧品ののりもよく、若干注意して作業すれば、粘着剤面や貼付体層を指で触れて汚さずに被貼付物に貼付可能な貼付体シートであった。
【０１１１】
(実施例４)
実施の形態例４で説明した貼付体シートを前記製法の工程（１）〜（８）、（１０）に従い製造した。
【０１１２】
この貼付体シートにおいては、貼付体層としてポリエーテル系ポリウレタン（東レコーテックス株式会社製）を用い、貼付体層のキャリアシート側の表面粗さをＲｚjisで5μｍとし、貼付体層の厚みを25μm、粘着剤層と貼付体層からなる貼付材の厚みが、合計厚みで40μmとした。粘着剤層としては、実施例１と同じ粘着剤を採用した。
【０１１３】
また、キャリアシートとしては、貼付体層側に当接する面が粘着処理されて易粘着化処理された厚さ75μmのポリエチレンテレフタレートフィルムを用い、台紙として粘着剤層に当接される側の面が剥離性の処理がされた厚さ50μmのポリエチレンテレフタレートフィルムを用いた。
【０１１４】
得られた貼付体シートにおいて、キャリアシートと貼付材間の粘着力が0.1Ｎ/20ｍｍであり、貼付材と台紙間の粘着力が0.1N/20ｍｍであった。
【０１１５】
得られた貼付体シートを、図１０を引用して説明したような使用方法で、顔の肌に貼付したところ、目的とする順番で必要な層を剥がすことができ（先にキャリアシートが剥がれたり、キャリアシートをはがす際に、貼付材まで剥がれてしまうことがなく、被貼付物に貼付し、把持部の台紙と切込み１３より端部側の貼付材並びに全キャリアシートを同時に剥がす）、しわの発生がなく、化粧品ののりもよく、貼付を完了するまでの操作が簡単で、粘着剤面や貼付体層をあまり指で触れて汚さずに被貼付物に貼付可能な貼付体シートであった。
【産業上の利用可能性】
【０１１６】
本発明の貼付体シートは、救急絆創膏や巻絆、ドレッシング、皮膚面固定シート、経皮吸収薬含有貼付剤などの種々の用途、特に皮膚表面に貼付されて使用される場合には、皮膚患部の直接掻破を防止するために用いられる貼付体を含む貼付体シート、または、顔に貼付され、リフトアップのために用いられる化粧用途の貼付体に利用できる貼付体シート、顔のしみ、そばかすなどを隠し、且つその上に化粧品が乗るような貼付体シートなどに利用できる。
【符号の説明】
【０１１７】
１  剥離性シートからなる台紙
１１ａ  台紙の把持部
１２ａ  台紙の本体部
２  粘着剤層
３  貼付体層
４  貼付材
５  キャリアシート
６  キャリアシートの摘み部
７  台紙１のみを厚さ方向に貫通する切込み
８  貼付材４とキャリアシート５を厚さ方向に貫通する切込み
９  のり殺し
１０  貼付体シート
１１  貼付体シートの把持部
１２  貼付体シートの本体部
１３  貼付材のみを厚さ方向に貫通する切込み
２０  被貼付物
【図１】
0006410624.tif 000002
【図２】
0006410624.tif 000003
【図３】
0006410624.tif 000004
【図４】
0006410624.tif 000005
【図５】
0006410624.tif 000006
【図６】
0006410624.tif 000007
【図７】
0006410624.tif 000008
【図８】
0006410624.tif 000009
【図９】
0006410624.tif 000010
【図１０】
0006410624.tif 000011
【図１１】
0006410624.tif 000012
【図１２】
0006410624.tif 000013
【図１３】
0006410624.tif 000014
【図１４】
0006410624.tif 000015
【図１５】
0006410624.tif 000016